(57)【特許請求の範囲】
【請求項１】
屋根材と軒先との間隙を塞ぐ天面カバー（２）並びに軒先化粧カバー（３）を、軒先前後方向に移動可能に取付ける軒先化粧カバーの取付具（１）であって、
平坦状のブラケット本体（１１−２）の棟側に軒先前面板（Ａ−１）に固定される軒固定部（１１１）、下部に軒先化粧カバー（３）の下底部が接合する軒天固定部（１１２）をそれぞれ立ち上げ形成すると共に、ブラケット本体（１１−２）と軒天固定部（１１２）に軒先前後方向に細長い長孔（１１１−２、１１１−３）を設けてなる固定ブラケット（１１−１）と、
前記ブラケット本体（１１−２）に面接合する可動部本体（１２−２）の棟側上部に軒先化粧カバー（３）の上縁部が係合する先端が下折れした上部支持片（１２１）を形成すると共に、可動部本体（１２−２）の軒側に軒先化粧カバー（３）を支持するカバー支持部（１２−３）、その上部に軒先化粧カバー（３）及び天面カバー（２）が重なるカバー固定片（１２２）をそれぞれ立ち上げ形成してなる可動ブラケット（１２−１）からなり、
軒先方向に所定間隔で固定ブラケット（１１−１）を固定し、前記長孔（１１１−２）を介して可動ブラケット（１２−１）を軒先前後方向へスライド移動させ、固定位置を調節してから締結具（１３）又はビス（１４）で一体に連結した後、軒先化粧カバー材（３）を可動ブラケット（１２−１）に被せ、その下底部を前記軒天固定部（１１２）に重ねてビス（１４）で止め、次いで固定ブラケット（１１−１）の上方に取り付けられた天面カバー（２）と前記カバー固定片（１２２）の間に軒先化粧カバー（３）の上部を挟み入れ、当該カバーの上縁部を上部支持片（１２１）に係合させると共に天面カバー（２）に重ねてカバー固定片（１２２）にビス（１４）で止めることにより軒先化粧カバー（３）を接続固定することを特徴とする軒先化粧カバーの取付具。
【発明の詳細な説明】
【０００１】
【発明の属する技術分野】
本発明は化粧カバーの取付具に係り、特に、建物の天面カバー（屋根材スターター）及び軒先化粧カバーを、共に軒先前後方向に移動可能に調節して取付け得る化粧カバーの取付具に関するものである。
【０００２】
【従来技術とその課題】
従来、一般に建物の外壁や軒先には出入があり、それに伴なって屋根の下端に取付けられる軒先前面カバーが軒先方向に曲りを生じてしまい、軒先外観を損なうと云う問題がある。そこで、この課題を解決するために、軒先の前後方向に軒先前面カバーを移動できる構造にすると、軒先と軒先前面カバーとの間隔が一定にならないので、間隔の大きい個所から雨水が建物の軒先外壁面に回り込み易くなって破風の機能が損なわれると云う課題が残されている。
【０００３】
【課題を解決するための手段】
本発明は上記課題を解決するためのものであり、その要旨は、屋根材と軒先との間隙を塞ぐ天面カバー並びに軒先化粧カバーを、軒先前後方向に移動可能に取付ける軒先化粧カバーの取付具であって、平坦状のブラケット本体の棟側に軒先前面板に固定される軒固定部、下部に軒先化粧カバーの下底部が接合する軒天固定部をそれぞれ立ち上げ形成すると共に、ブラケット本体と軒天固定部に軒先前後方向に細長い長孔を設けてなる固定ブラケットと、前記ブラケット本体に面接合する可動部本体の棟側上部に軒先化粧カバーの上縁部が係合する先端が下折れした上部支持片を形成すると共に、可動部本体の軒側に軒先化粧カバーを支持するカバー支持部、その上部に軒先化粧カバー及び天面カバーが重なるカバー固定片をそれぞれ立ち上げ形成してなる可動ブラケットからなり、軒先方向に所定間隔で固定ブラケットを固定し、前記長孔を介して可動ブラケットを軒先前後方向へスライド移動させ、固定位置を調節してから締結具又はビスで一体に連結した後、軒先化粧カバー材を可動ブラケットに被せ、その下底部を前記軒天固定部に重ねてビスで止め、次いで固定ブラケットの上方に取り付けられた天面カバーと前記カバー固定片の間に軒先化粧カバーの上部を挟み入れ、当該カバーの上縁部を上部支持片に係合させると共に天面カバーに重ねてカバー固定片にビスで止めることにより軒先化粧カバーを接続固定することを特徴とする軒先化粧カバーの取付具である。
【０００４】
【発明の実施の形態】
以下、本発明の実施例を図面に基づき具体的に説明する。図１は、本発明の実施例を斜視図で示し、図２は、本発明を建物軒先に取付けた状態を側断面図で示し、図３は、本発明を建物軒先に取付ける状態を一部切欠斜視図で示す。
【０００５】
本発明は、図１に斜視図で、また、図２に側断面図で示す如く、屋根材４と軒先Ａとの間隙を塞ぐ天面カバー２並びに軒先化粧カバー３を、軒先方向に取付ける化粧カバーの取付具であって、軒先前面板Ａ−１に固定される固定ブラケット１１−１と、該固定ブラケット１１−１に穿設した長孔１１１−２を介し、締結具１３により軒先前後方向に移動可能に取付けられる可動ブラケット１２−１とからなるものである。
【０００６】
本発明を用いれば、屋根材４に連結して屋根材４と軒先Ａとの間隙を塞ぎ、且つ屋根スターターとしての機能を具えた天面カバー２並びに軒先化粧カバー３を、共に軒先前後方向へ移動調節することができるので、屋根材先端部材４１面を軒先方向に一直線に設定でき、それに伴なって、雨水が建物の軒先Ａ外壁面に回り込むことが無くなり、しかも、軒先Ａ外観も向上すると云う作用効果を奏するものである。
【０００７】
【実施例】
本発明の取付具であるブラケット１は、図１及び図２に示す如く、固定ブラケット１１−１と可動ブラケット１２−１とからなり、上記固定ブラケット１１−１は、平坦状のブラケット本体１１−２の棟側に軒固定部１１１、下側に軒天固定部１１２をそれぞれ立上げ形成してある。そして、上記固定ブラケット１１−１のブラケット本体１１−２と軒天固定部１１２には、各々軒先前後方向に細長い長孔１１１−２と長孔１１１−３を穿設すると共に、軒固定部１１１には、軒先前面板Ａ−１に釘打ち固定するための釘孔１１１−１を穿設してある。
【０００８】
また、上記ブラケット１に取付けられる可動ブラケット１２−１は、可動部本体１２−２の棟側上方に先端が下折れした上部支持片１２１を形成してあると共に、可動部本体１２−２の軒側にカバー支持部１２−３並びにカバー固定片１２２を立上げ形成し、該カバー固定片１２２には、軒先化粧カバー３を挟み込んで、天面カバー２のカバー止着部２２を止めビス１４で固定するためのビス孔１２２−１を穿設してある。可動ブラケット１２−１は、ブラケット本体１１−２と面接合するように設けてある。
【０００９】
本発明は、上記固定ブラケット１１−１のブラケット本体１１−２や軒天固定部１１２に穿設した長孔１１１−２、長孔１１１−３を介して、蝶ネジ等の締結具１３や止めビス１４により、可動ブラケット１２−１を軒先前後方向（矢印方向）にスライド移動自在に取付位置を調節して固定し取付けることができるものである。
【００１０】
以下、本発明を建物軒先に取付ける際の施工手順について述べる。即ち、図２に側断面図で、また、図３に斜視図で示す如く、先づ、屋根材４の下端部に取付けられている屋根材先端部材４１に、天面カバー２の接続部２１を挿着することによって屋根材先端部材４１と天面カバー２とを連結固定し、一方、ブラケット本体１１−２に穿設した長孔１１１−２を介し、締結具１３を用いて可動ブラケット１２−１を固定ブラケット１１−１に仮止めし、軒先前面板Ａ−１面に、軒先方向に所定間隔を保ってブラケット１を釘１５で固定する。
【００１１】
次いで、固定ブラケット１１−１に形成した長孔１１１−２，１１１−３を利用し、可動ブラケット１２−１を水糸を用いて軒先前後方向（矢印方向）に移動調節して、軒先全長に亘る可動ブラケット１２−１の出寸法を一定に設定したのち、締結具１３や止めビス１４を本締めする。
【００１２】
そして、軒先全長に亘り、ブラケット１の可動ブラケット１２−１を抱持する如く軒先化粧カバー３を取付け、しかるのち、軒先化粧カバー３の下底部を、固定ブラケット１１−１の軒天固定部１１２に穿設した長孔１１１−３を介し、止めビス１４を用いて固定ブラケット１１−１に仮止めしたのち、軒先化粧カバー３を上記天面カバー２の下へ潜らせ、しかるのち、軒先化粧カバー３の上部を、天面カバー２のカバー止着部２２とブラケット１２−１の上部支持片１２１間に挟み込み、縁部を上部支持片に係合させると共にカバー止着部２２に重ねて止めビス１４で上部支持片１２１に接続固定し、取付け施工を完了する。
【００１３】
本発明は上記構成であるので、屋根材先端部材４１と天面カバー２との接続により軒先Ａを確実に覆って、雨水が軒先Ａの外壁面に浸入することを防止できると共に、屋根スターターとしての機能が付与されることによって、別途に屋根スターターを取付ける必要が無くなり、軒先回りの取付け費用が削減されるものである。
【００１４】
【発明の効果】
本発明は上記構成よりなるので下記効果を奏する。即ち、本発明を用いれば、屋根材に連結して屋根材と軒先との間隙を塞ぎ且つ屋根スターターとしての機能を具えた天面カバーと、軒先化粧カバーとを、共に軒先前後方向へ移動調節することができるので、屋根材先端部材面を軒先方向に一直線に設定することができ、それに伴なって、雨水が建物の軒先外壁面に回り込むことが無くなり、しかも、軒先外観も向上すると云う作用効果を奏するものである。
【図面の簡単な説明】
【図１】本発明の実施例を斜視図で示す。
【図２】本発明を建物軒先に取付けた状態を側断面図で示す。
【図３】本発明を建物軒先に取付ける状態を一部切欠斜視図で示す。
【符号の説明】
１ ブラケット、１１−１ 固定ブラケット、１１−２ ブラケット本体、１１１ 軒固定部、１１１−１ 釘孔、１１１−２ 長孔、１１１−３ 長孔、１１２ 軒天固定部、１２−１ 可動ブラケット、１２−２ 可動部本体、１２−３ カバー支持部、１２１ 上部支持片、１２２ カバー固定片、１２２−１ ビス孔、１３ 締結具、１４ 止めビス、１５ 釘、２ 天面カバー（屋根材スターター）、２１ 接続部、２２ カバー止着部、３ 軒先化粧カバー、４ 屋根材、４１ 屋根材先端部材、Ａ 軒先、Ａ−１ 軒先前面板、Ａ−２ 軒天
【図１】
0003756629.tif 000002
【図２】
0003756629.tif 000003
【図３】
0003756629.tif 000004